(57)【要約】【課題】扇風機に簡易に装着することで直進性の高い送風とすることによりサーキュレーターとして用いることができるサーキュレーターアタッチメントを提供する。【解決手段】サーキュレーターアタッチメント１０は、複数の磁石１４を鉄ガード２１に近づけることにより磁力で吸着され、複数の磁石１４を用いて鉄ガード２１に装着された状態で、扇風機２０からの送風が、複数の羽根部１３を通過し、この通過した送風が直進性を有する直進性送風ＣＳとなる。サーキュレーターアタッチメント１０は、押し出されるように風が広がり直進性に乏しい扇風機２０に簡易に装着されることで、この扇風機２０を弱風時においても直進性を有し送風力を高めることができるサーキュレーターとして用いることができる。【選択図】図１
0003209451.tif 000002
【実用新案登録請求の範囲】
【請求項１】
扇風機に取り付けて使用するサーキュレーターアタッチメントであって、
円筒状の第１の円筒部と、前記第１の円筒部の内部に配置されている円筒状の第２の円筒部と、前記第１の円筒部と前記第２の円筒部の間に設けられた複数の羽根状の羽根部と、前記第１の円筒部、第２の円筒部または複数の羽根部の所定の部分に設けられ前記扇風機の前ガードに装着するように形成されている装着部を有し、
前記装着部を用いて前記前ガードに装着された状態で、前記扇風機からの送風は、前記複数の羽根部を通過し、前記通過した送風が直進性を有するように形成されていることを特徴とするサーキュレーターアタッチメント。
【請求項２】
前記前ガードは、鉄を用いた鉄ガードであり、
前記所定の部分に設けられた装着部は、複数の磁石であり、前記複数の磁石を用いて前記鉄ガードに装着するように形成されていることを特徴とする請求項１に記載のサーキュレーターアタッチメント。
【請求項３】
前記扇風機からの送風は、前記複数の羽根部を通過し、前記通過した送風が回転しながら直進性を有するように形成されていることを特徴とする請求項１または請求項２に記載のサーキュレーターアタッチメント。
【考案の詳細な説明】
【技術分野】
【０００１】
本考案は、サーキュレーターアタッチメントに関する。
【背景技術】
【０００２】
扇風機はモーターの回転により羽根を回転させ送風するものであるが、この風を広い領域に送風するために首振りの機能を有するものが知られている（特許文献参照）。
【先行技術文献】
【特許文献】
【０００３】
【特許文献１】特開平０６−３４１３９５号公報
【考案の概要】
【考案が解決しようとする課題】
【０００４】
上記の扇風機では、送風が外側に押し出されながら進むため広がり、直進性に乏しいという問題があった。本考案は、こうした点に鑑みてなされたものであり、扇風機に簡易に装着することで直進性の高い送風とすることによりサーキュレーターとして用いることができるサーキュレーターアタッチメントを提供する。
【課題を解決するための手段】
【０００５】
上記課題を解決するために、本考案に係るサーキュレーターアタッチメントは、扇風機に取り付けて使用するサーキュレーターアタッチメントであって、円筒状の第１の円筒部と、前記第１の円筒部の内部に配置されている円筒状の第２の円筒部と、前記第１の円筒部と前記第２の円筒部の間に設けられた複数の羽根状の羽根部と、前記第１の円筒部、第２の円筒部または複数の羽根部の所定の部分に設けられ前記扇風機の前ガードに装着するように形成されている装着部を有し、前記装着部を用いて前記前ガードに装着された状態で、前記扇風機からの送風は、前記複数の羽根部を通過し、前記通過した送風が直進性を有するように形成されていることを特徴とする。
【０００６】
本考案に係るサーキュレーターアタッチメントの態様について、前記前ガードは、鉄を用いた鉄ガードであり、前記所定の部分に設けられた装着部は、複数の磁石であり、前記複数の磁石を用いて前記鉄ガードに装着するように形成されていることが好ましい。
【０００７】
本考案に係るサーキュレーターアタッチメントの態様について、前記扇風機からの送風は、前記複数の羽根部を通過し、前記通過した送風が回転しながら直進性を有するように形成されていることが好ましい。
【考案の効果】
【０００８】
本考案によれば、扇風機に簡易に装着することで直進性の高い送風とすることによりサーキュレーターとして用いることができるサーキュレーターアタッチメントを提供することができる。
【図面の簡単な説明】
【０００９】
【図１】実施形態の扇風機に用いるサーキュレーターアタッチメントの一例を示す模式図である。
【考案を実施するための形態】
【００１０】
以下、本考案の扇風機に用いるサーキュレーターアタッチメントの実施形態を、図１を用いて説明する。
【００１１】
図１（ａ）は実施形態のサーキュレーターアタッチメント１０を示す模式図であり、図１（ｂ）はサーキュレーターアタッチメント１０が扇風機２０に装着された状態を示す模式図である。
【００１２】
図１（ｂ）に示すようにサーキュレーターアタッチメント１０は、扇風機２０に取り付けて使用するものである。
【００１３】
サーキュレーターアタッチメント１０は、円筒状の第１の円筒部１１、第１の円筒部１１の内部に配置されている円筒状の第２の円筒部１２、第１の円筒部１１と第２の円筒部１２の間に設けられた複数の羽根状の羽根部１３及び第１の円筒部１１、第２の円筒部１２または複数の羽根部の所定の部分に設けられ、扇風機２０の前ガードに装着するように形成されている装着部を有している。
【００１４】
実施形態において扇風機２０の前ガードは、一例として鉄を用いた鉄ガード２１であり、またサーキュレーターアタッチメント１０の装着部は、一例として第１の円筒部１１、第２の円筒部１２または複数の羽根部１３の所定の部分に設けられた複数の磁石１４である。
【００１５】
すなわち、実施形態において、サーキュレーターアタッチメント１０は、複数の磁石１４を鉄ガード２１に近づけることにより磁力で吸着される。このように複数の磁石１４を用いることで、サーキュレーターアタッチメント１０は、扇風機２０に対して簡単に着脱することができる。
【００１６】
なお、図１(ａ)に示すように実施形態において複数の磁石１４は、３つの磁石１４であるが、これは一例であり必要に応じ適宜数を設定してもよい。また、実施形態では、３つの磁石１４は、９つの羽根部１３に均等な配置となるように設けられているが、これも一例であり必要に応じて適宜配置してもよい。
【００１７】
上記の構成を有するサーキュレーターアタッチメント１０は、磁石１４を用いて鉄ガード２１に装着された状態において、扇風機２０からの送風が、複数の羽根部１３を通過し、この通過した送風が直進性を有する直進性送風ＣＳとなるように形成されている。
【００１８】
また、扇風機２０からの送風は、複数の羽根部１３を通過し、通過した送風が回転しながら直進性を有するように形成されてもよい。このような構成にすることで直進性送風ＣＳの直進性をより効果的なものにすることができる。
【００１９】
実施形態において複数の羽根部１３は、上記のとおり９つの羽根部１３が均等な間隔になるように配置されている。サーキュレーターアタッチメント１０は、このような９つの羽根部１３を有することで直進性送風ＣＳの直進性を高めているが、これに限定されず、必要に応じて適宜数を設定してもよい。
【００２０】
上記のとおり実施形態のサーキュレーターアタッチメント１０は、簡易に扇風機２０の鉄ガード２１に磁石１４を用いて装着することができる。このようにサーキュレーターアタッチメント１０は、風を外側に押し出すようにすることで風が広がり直進性に乏しい扇風機２０に簡易に装着されることで、弱風時においても送風力を高めることができ、低消費電力、低騒音などの効果もある。
【００２１】
また、サーキュレーターアタッチメント１０は、夏場に用いる扇風機２０を冬場にサーキュレーターとして脱着簡単であることより容易に使用することができる。このようにサーキュレーターアタッチメント１０は、扇風機２０用のアタッチメントとして簡単に用いることができる、新たにサーキュレーター専用機を求める必要がないという効果もある。
【００２２】
以上、本考案の有する特徴及び優れた点を上記実施形態に記載したが、本考案は、本願の実用新案登録請求の範囲で使用されている言葉を広く一般的な意味に拡張して実施することができる。
【００２３】
また、本考案のサーキュレーターアタッチメントは、大きさや形状、素材の種類、厚さ、重さなどについては多様な実施形態が可能であり、それらについて本実施形態と異なる形態による実施は、本考案の技術的範囲に含まれる。
【符号の説明】
【００２４】
１０    サーキュレーターアタッチメント
１１    第１の円筒部
１２    第２の円筒部
１３    羽根部
１４    磁石
２０    扇風機
２１    鉄ガード
ＣＳ    直進性送風
【図１】
0003209451.tif 000003